(57)【特許請求の範囲】
【請求項１】
立主管と横枝管との交差部に設けられる管本体を有し、
この管本体の下部側には立主管接続用の下部継ぎ手部が設けられ、
管本体の側面部には横枝管接続用の横継ぎ手部が少なくとも一つ設けられていると共に伸頂通気管用の横継ぎ手部が設けられており、
前記伸頂通気管用の横継ぎ手部は、
その先端部下縁が前記横枝管接続用の横継ぎ手部の先端部下縁よりも上方に位置するように形成されており、
前記管本体の上部は閉塞された天端部とされている
ことを特徴とする伸頂通気管用の配管部材。
【請求項２】
前記伸頂通気管用の横継ぎ手部は、
前記管本体より斜め上方に延びた枝管部を有してその先端部下縁が前記横枝管接続用の横継ぎ手部の先端部下縁よりも上方に位置するように形成されている、
ことを特徴とする請求項１記載の伸頂通気管用の配管部材。
【請求項３】
前記伸頂通気管用の横継ぎ手部は、
前記管本体との接続高さが、前記横枝管接続用の横継ぎ手部の前記管本体との接続高さと同一レベルである
ことを特徴とする請求項２記載の伸頂通気管用の配管部材。
【請求項４】
前記管本体の上部の天端部に点検口が設けられている
ことを特徴とする請求項１〜３のいずれか１項に記載の伸頂通気管用の配管部材。
【請求項５】
伸頂通気管に接続された横引き管、排水用の横枝管および配管部材からなり、
前記配管部材は、
伸頂通気管用の横継ぎ手部と少なくとも一つの横枝管接続用の横継ぎ手部とを側面部に、
および立主管接続用の下部継ぎ手部を下端部に、有し、
前記伸頂通気管用の横継ぎ手部が、その先端部下縁を前記横枝管接続用の横継ぎ手部の先端部下縁よりも上方に位置するように形成されており、
前記横引き管が前記伸頂通気管用の横継ぎ手部に接続され前記横枝管が前記横枝管接続用の横継ぎ手部に接続されて構成された
ことを特徴とする排水配管構造。
【発明の詳細な説明】
【０００１】
【発明の属する技術分野】
本発明は、伸頂通気管用の配管部材及び伸頂通気管に接続される配管構造に関するものである。
【０００２】
【従来の技術】
集合住宅等の多層階建物で採用される排水管システムでは、各階を縦方向に貫いて配管される立主管に対し、各階ごとに対応させて排水集合管が介設され、これらそれぞれの排水集合管を介して、各階用の横枝管が接続されるようになっている。
ところで、この立主管の上端部は空気取り込みのために通気管（この通気管を「伸頂通気管」と言う）を接続する必要がある。従って、この立主管の真上に伸頂通気管を接続すればよいことになる。
【０００３】
しかしながら、多層階建物において最上階は、例えばオーナールームや展望室等として他階とは異なる間取り（レイアウト）とされていることが多く、そのために立主管は、そのまま真上へ延ばして最上階を貫通させるような配管ができない場合があった。
このような場合では、最上階の床スラブレベルで立主管の上端部を止め、この部分に、上記した他階部分で用いた排水集合管とは異なる専用の配管部材を用いて最上階用の横枝管を接続し、またこの配管部材に対して伸頂通気管を接続させるということが行われていた（特開２０００−２７３９２６号公報参照）。
【０００４】
この従来の配管部材は、立主管と横枝管との交差部に設けられる管本体を有し、この管本体の下部側には立主管接続用の下部継ぎ手部が設けられ、管本体の側面部には横枝管接続用の横継ぎ手部と伸頂通気管接続用の横継ぎ手部とが設けられ、管本体の上部は閉塞された天端部とされているものであった。
【０００５】
【発明が解決しようとする課題】
従来の配管部材を用いて伸頂通気管を接続した排水管システムでは、伸頂通気管に対して、万が一、最上階用横枝管側からの排水が流れ込むようなことがあっても、伸頂通気管から排水が溢れるといったことには繋がらないようにするため、この配管部材と伸頂通気管とを繋ぐ横引き管に対して、配管部材側が下流となるような排水勾配を設けることを義務づけていた。
しかし、伸頂通気管から排水が溢れることがないとは言え、排水が途中の横引き管内に流れ込むようなことがあると、この管内部には排水による汚れが付着することになる。
【０００６】
そして、仮に、この排水が便器排水等である場合や、排水の流れ込みが繰り返されて汚れの付着が堆積した場合等では、上記横引き管や伸頂通気管の内径が縮小されるおそれがある。
このようになると、伸頂通気管から取り込まれる空気量が制限されて不足し、最悪の場合は空気の取り込みが無い状態となり、封水切れなどの排水トラブルとなることも懸念される。
本発明は、上記事情に鑑みてなされたものであって、立主管に対してその真上へ伸頂通気管を接続できないような場合の配管システム等であって、伸頂通気管に横枝管等からの排水が流れ込むことがないようにし、伸頂通気管による空気の取り込みに支障が生じないようにできる伸頂通気管用の配管部材及び伸頂通気管の配管構造を提供することを目的とする。
【０００７】
【課題を解決するための手段】
前記目的を達成するために、本発明は次の手段を講じた。
即ち、本発明に係る伸頂通気管用の配管部材は、立主管と横枝管との交差部に設けられる管本体を有し、この管本体の下部側には立主管接続用の下部継ぎ手部が設けられ、管本体の側面部には横枝管接続用の横継ぎ手部が少なくとも一つ設けられていると共に伸頂通気管用の横継ぎ手部が設けられており、前記伸頂通気管用の横継ぎ手部は、その先端部下縁が前記横枝管接続用の横継ぎ手部の先端部下縁よりも上方に位置するように形成されており、前記管本体の上部は閉塞された天端部とされている。
【０００８】
このようにすることで、伸頂通気管を接続する通気管接続用横継ぎ手部に対し、枝管接続用横継ぎ手部側からの排水が流れ込むことがない。
そのため、伸頂通気管（横引き管を用いる場合はこの横引き管を含む）の内部に汚れが付着することがなく、従って必要十分量の空気量を取り込む状態が恒久的に継続されることになる。
管本体の上部を閉塞された天端部とすることにより、この配管部材としての高さ寸法を可及的に抑えることができ、この配管部材を設置するスペースの浪費を避けることができる。すなわち、最上階の床下スペース等を可及的に低く抑えて、この最上階における室内天井を高くすることができる。
前記伸頂通気管用の横継ぎ手部は、前記管本体より斜め上方に延びた枝管部を有してその先端部下縁が前記横枝管接続用の横継ぎ手部の先端部下縁よりも上方に位置するように形成してもよい。
この場合、前記伸頂通気管用の横継ぎ手部は、前記管本体との接続高さが、前記横枝管接続用の横継ぎ手部の前記管本体との接続高さと同一レベルとするのが配管スペース上好ましい。
【０００９】
また、このような管本体の上部の天端部には、点検口を設けておくのが好適である。
この場合の点検口は、清掃やメンテナンスにも兼用できるようにしてもよい。
一方、本発明に係る排水配管構造は、伸頂通気管に接続された横引き管、排水用の横枝管および配管部材からなり、前記配管部材は、伸頂通気管用の横継ぎ手部と少なくとも一つの横枝管接続用の横継ぎ手部とを側面部に、および立主管接続用の下部継ぎ手部を下端部に、有し、前記伸頂通気管用の横継ぎ手部が、その先端部下縁を前記横枝管接続用の横継ぎ手部の先端部下縁よりも上方に位置するように形成されており、前記横引き管が前記伸頂通気管用の横継ぎ手部に接続され前記横枝管が前記横枝管接続用の横継ぎ手部に接続されて構成される。
【００１０】
なお、上記「伸頂通気管用の横継ぎ手部の先端部下縁」および「横枝管接続用の横継ぎ手部の先端部下縁」とは、配管部材を建物に設置したときの、伸頂通気管用の横継ぎ手部および横枝管接続用の横継ぎ手部それぞれの先端部分の下側縁をいう。また、上記における「上」および「下」は、配管部材を建物に設置したときの上下方向をいうものとする。
【００１１】
【発明の実施の形態】
以下、本発明の実施の形態を、図面に基づき説明する。
図２及び図３は、本発明に係る伸頂通気管用配管部材（以下、単に「配管部材」と言う）１の第１実施形態を示している。
また図１は、この配管部材１を用いて施工した本発明に係る伸頂通気管２の配管構造を示している。
この配管構造では、集合住宅等の多層階建物に対し、各階を縦方向に貫いて立主管５が配管されたものとなっており、またこの立主管５は、その上端部が多層階建物における最上階部分の床スラブ６に対応するレベルで止められてある。
【００１２】
そして、この立主管５の上端部分に、上記した本発明に係る配管部材１が接続されたものとなっている。
更にこの配管部材１には、最上階用の横枝管７と伸頂通気管２用の横引き管８とが接続されている。
すなわち、この配管部材１の部分で、立主管５に対し横枝管７及び横引き管８が交差していることになる。
この配管部材１は管本体１０を核として成る。
【００１３】
この管本体１０の下部側には、立主管５を接続するための下部継ぎ手部１１が設けられている。
図例の下部継ぎ手部１１は差し口（ストレート管）タイプが使用されるが、フランジ継ぎ手タイプ等の他のタイプでもよい。
また、この管本体１０の側面部には、横枝管７を接続するための横継ぎ手部１２（以下「枝管接続用横継ぎ手部１２」という）が少なくとも一つ設けられている。この第１実施形態は、枝管接続用横継ぎ手部１２が一つだけの場合である。
【００１４】
図例の枝管接続用横継ぎ手部１２には受け口（ソケット又はメカニカル）タイプが使用されるが、差し口（ストレート管）タイプ等の他のタイプを使用してもよい。
更に、管本体１０の側面部には、伸頂通気管２を接続するための横継ぎ手部１３（以下「通気管接続用横継ぎ手部１３」という）が設けられている。
この通気管接続用横継ぎ手部１３についても、図例では受け口（ソケット又はメカニカル）タイプが使用されるが、差し口（ストレート管）タイプ等の他のタイプを使用してもよい。
【００１５】
本第１実施形態の配管部材１では、上記したように一つだけ設けられた枝管接続用横継ぎ手部１２に対し、管本体１０を挟んだ対称位置に通気管接続用横継ぎ手部１３が位置付けられたものとしてあり、従って、これら両者が「平面一文字」状の配置関係となっている。
図２から明らかなように、通気管接続用横継ぎ手部１３は、枝管接続用横継ぎ手部１２よりも上位レベルとなるように設けられている（高さ寸法差Ｌ参照）。
そのため、横枝管７側から枝管接続用横継ぎ手部１２を介して管本体１０内へ流れ込む排水が、万が一、勢い余って管本体１０を通り過ぎようとしても、この排水が通気管接続用横継ぎ手部１３にまで流れ込むことはない。
【００１６】
そのため、この通気管接続用横継ぎ手部１３に対して接続される横引き管８或いは伸頂通気管２に対し、それらの管内部が排水を原因として汚れることはなく、もとより、この汚れが付着堆積することによる縮径や閉塞のおそれもない。
従って、この伸頂通気管２からは、必要十分量の空気量を取り込む状態が恒久的に継続されることになる。
管本体１０の上部は、閉塞された天端部１５とされている。
この天端部１５は、通気管接続用横継ぎ手部１３のすぐ上となる高さ位置に設けられており、これにより、枝管接続用横継ぎ手部１２の下端から管本体１０の上端（天端部１５）までの高さ寸法Ｈが可及的に小さく抑えられるようにしてある。
【００１７】
すなわち、これにより、建物最上階の床スラブ６とその上部に設ける床１８との上下間の床下スペース１９が、この配管部材１を設けたことによってむやみに高くなるのを防止できる（最上階の床下スペースに対するスペースの浪費を避けることができる）。そのため、最上階の室内スペースとして、十分な天井高さを確保することができるのである。
なお、図１に示したように、通気管接続用横継ぎ手部１３に対して伸頂通気管２を接続するために横引き管８を用いているが、この横引き管８には、配管部材１側が下流側となる排水勾配（勾配マークＳを参照のこと）を付しておく。
【００１８】
ただ、このような横引き管８は必須不可欠というものではない。
また、管本体１０には、枝管接続用横継ぎ手部１２側（横枝管７）から流入する排水を効率よく立主管５へ流下させるための旋回羽根２３（なお図２ではこの旋回羽根２３を設けたことにより外周面に現れた成型凹部２４として示してある）を設けておくのが好ましい。
図４及び図５は、本発明に係る配管部材１の第２実施形態を示している。
この第２実施形態の配管部材１が上記第１実施形態と異なるところは、一つだけ設けられた枝管接続用横継ぎ手部１２と通気管接続用横継ぎ手部１３とが管本体１０を介して平面交差（直交）する位置関係で設けられている点にある。
【００１９】
すなわち、これら枝管接続用横継ぎ手部１２と通気管接続用横継ぎ手部１３とは「平面Ｌ字」状の配置関係となっている。
その他の構成、構造及び作用効果等は第１実施形態の場合と略同様であるので、ここでの詳説は省略する。
図６及び図７は、本発明に係る配管部材１の第３実施形態を示している。
この第３実施形態の配管部材１も、上記した第２実施形態と同じく枝管接続用横継ぎ手部１２と通気管接続用横継ぎ手部１３とが「平面Ｌ字」状の配置関係となったものである。
【００２０】
通気菅接続用横継ぎ手部１３は、菅本体１０との接続高さが、横菅接続用横継ぎ手部１２と同一レベルであるが、通気菅接続用横継ぎ手部１３の接続部が上位レベルとなる枝菅形状としている点で第２実施形態と異なっている。
その他の構成、構造及び作用効果等は第１実施形態や第２実施形態の場合と略同様であるので、ここでの詳説は省略する。
図８及び図９は、本発明に係る配管部材１の第４実施形態を示している。
この第４実施形態の配管部材１が上記第１実施形態と異なるところは、枝管接続用横継ぎ手部１２が平面Ｌ字配置で２カ所設けられ、これらと通気管接続用横継ぎ手部１３との全体が、管本体１０を中心とする平面Ｔ字状を呈する位置関係で設けられている点にある。
【００２１】
また、この第４実施形態では、管本体１０の上部の天端部１５に対し、点検口２７が設けられている。この点検口２７は、普段は点検蓋２８によって閉鎖されるようになっている。
このような点検口２７が設けられているため、必要に応じて管本体１０の内部や、枝管接続用横継ぎ手部１２乃至横枝管７内、或いは伸頂通気管２用通気管接続用横継ぎ手部１３乃至横引き管８内などに対する点検、清掃、メンテナンスを行うことができる。
【００２２】
その他の構成、構造及び作用効果等は第１実施形態等の場合と略同様であるので、ここでの詳説は省略する。
ところで、本発明は、上記した各実施形態に限定されるものではなく、実施の形態に応じて適宜変更可能である。
例えば、この配管部材１の形成材料は何ら限定されるものではない。
また、枝管接続用横継ぎ手部１２の配置数や配置、その管径サイズ等は何ら限定されるものではない。
【００２３】
点検口２７を設ける場合、点検蓋２８を設けず、透明窓を固定的に嵌め込んだものとしてもよい。
【００２４】
【発明の効果】
以上の説明から明らかなように、本発明に係る伸頂通気管用の配管部材及び配管構造は、立主管に対してその真上へ伸頂通気管を接続できないような場合の配管システム等であって、伸頂通気管に横枝管等からの排水が流れ込むことがないようにし、もって伸頂通気管による空気の取り込みに支障が生じないようにできる。
【図面の簡単な説明】
【図１】本発明に係る配管部材の第１実施形態を用いて施工した本発明に係る配管構造を示した側面図である。
【図２】図１の配管部材を示した側面図である。
【図３】図２に対応する平面図である。
【図４】本発明に係る第２実施形態の配管部材を示した側面図である。
【図５】図４に対応する平面図である。
【図６】本発明に係る第３実施形態の配管部材を示した側面図である。
【図７】図６に対応する平面図である。
【図８】本発明に係る第４実施形態の配管部材を示した側面図である。
【図９】図８に対応する平面図である。
【符号の説明】
１    配管部材
２    立主管
５    立主管
７    横枝管
１０    管本体
１１    下部継ぎ手部
１２    横枝管接続用の横継ぎ手部（枝管接続用横継ぎ手部）
１３    伸頂通気管用の横継ぎ手部（通気管接続用横継ぎ手部）
１５    天端部
２７    点検口
【図１】
0004064179.tif 000002
【図２】
0004064179.tif 000003
【図３】
0004064179.tif 000004
【図４】
0004064179.tif 000005
【図５】
0004064179.tif 000006
【図６】
0004064179.tif 000007
【図７】
0004064179.tif 000008
【図８】
0004064179.tif 000009
【図９】
0004064179.tif 000010